(57)【要約】【課題】従来のモップ糸取付台は長方形状のものとし、モップ柄をはめる円筒を中央上方から設けたプラスチック製のものである。円筒の内面には、成形時に型を抜くことができるようにと上端から下方へとわずかずつ小径になるテーパーを付けている。円筒内にモップ柄を叩き込んで取り付けるが、このとき円筒が割れてしまうことがある。本発明が解決しようとする課題は、たとえ強い力でモップ柄を叩き込んでも円筒が割れてしまうことのないモップ糸取付台を提供する点にある。【解決手段】、円筒３の下端から垂直上方へ切込み８を入れている。モップ柄を円筒３に叩き込んでいくとき、たとえ強すぎる力を加えても、円筒３に切込み８があってやや広がって逃がすため円筒３が割れてしまうようなことはない。押し込み終えた後は弾力が発生し抜けにくくなる。【選択図】      図２
2005058701.tif 000002
【特許請求の範囲】
【請求項１】
全体をほぼ直方体の形状に形成し、上端から下方へとわずかずつ小径になるテーパーを内面に付けてモップ柄を上方から挿入し固定する円筒（３）を中央に形成したプラスチック製のモップ糸取付台において、円筒（３）の下端から上方へと切込み（８）を入れたことを特徴とするプラスチック製のモップ糸取付台。
【請求項２】
ほぼ長方形とした基板（２）と、基板（２）を上下に貫通する形で基板（２）の中央に形成し、上端から下方へとわずかずつ小径になるテーパーを内面に付けた、モップ柄を上方から挿入し固定する円筒（３）と、基板（２）の前後から下方へ平行に伸びる両側板（４）とからなるプラスチック製のモップ糸取付台において、円筒（３）の下端から上方へと切込み（８）を入れ、また円筒（３）から間隔をあけた円筒（３）を挟む両側位置において両側板（４）の間に架け渡す横リブ（６）をそれぞれ形成したことを特徴とするモップ糸取付台。
【発明の詳細な説明】
【技術分野】
【０００１】  本発明は、モップ糸を取り付けるモップ糸取付台に関するものである。
【背景技術】
【０００２】  本発明の発明者はモップ糸取付台（特許文献１参照）及びモップ糸取付具（特許文献２参照）を開発し製造販売も続けている。このモップ糸取付台は全体をほぼ直方体の形状に形成し、棒状の木製又は金属パイプ製のモップ柄をはめる円筒を中央上方から設け、モップ糸の中央折曲げ部をはめるくぼみを下面に形成したプラスチック製のものである。円筒の内面には、成形時に型を抜くことができるようにと上端から下方へとわずかずつ小径になるテーパーを付けている。また、このモップ糸取付具は、モップ糸取付台の下面のくぼみにはまる押え棒と押え棒の両端にそれぞれ取り付けたクランプとからなるものである。モップ糸取付台の円筒内にモップ柄を叩き込み、横からねじをねじ込み又は釘を打ち込んで固定する。そして、モップ糸取付台を逆さにしモップ糸の中央部を乗せ、モップ糸取付具の押え棒で押えて両端のクランプでクランプすることで、モップ糸取付台にモップ糸を取り付ける。
【特許文献１】意匠登録第７１７４４７号公報
【特許文献２】意匠登録第７１７４７９号公報
【発明の開示】
【発明が解決しようとする課題】
【０００３】  前記従来のものには次のような欠点がある。すなわち、モップ糸取付台の円筒内にモップ柄を叩き込むとき、弱い力で叩くとすぐに抜けてしまう。そこで強めの力を加えて叩き込んでいくしかない。強すぎる力を加えると円筒が割れてしまうことがある。割れてしまうとそのモップ糸取付台はもう使えない。そして、割れてしまうことが結構多く、これでは不経済である。本発明が解決しようとする課題は、たとえ強い力でモップ柄を叩き込んでも円筒が割れてしまうことのないモップ糸取付台を提供する点にある。
【課題を解決するための手段】
【０００４】  請求項１に係るモップ糸取付台は、全体をほぼ直方体の形状に形成し、上端から下方へとわずかずつ小径になるテーパーを内面に付けてモップ柄を上方から挿入し固定する円筒３を中央に形成したプラスチック製のモップ糸取付台において、円筒３の下端から上方へと切込み８を入れたことを特徴とするものである。木製又は金属パイプ製のモップ柄を円筒３の上方から叩き込んでいくとき、円筒３の内面にテーパーが付いているため次第に押し込みにくくなっていく。しかし、円筒３の下端から上方へと入れられた切込み８の部分が適度に広がることで円筒３が割れることなく容易に押し込むことができる。そして、モップ柄の取付けが終ったときは切込み８がある部分で弾力が発生するため、モップ柄が外れにくくなる。【０００５】  請求項２に係るモップ糸取付台は、ほぼ長方形とした基板２と、基板２を上下に貫通する形で基板２の中央に形成し、上端から下方へとわずかずつ小径になるテーパーを内面に付けた、モップ柄を上方から挿入し固定する円筒３と、基板２の前後から下方へ平行に伸びる両側板４とからなるプラスチック製のモップ糸取付台において、円筒３の下端から上方へと切込み８を入れ、また円筒３から間隔をあけた円筒３を挟む両側位置において両側板４の間に架け渡す横リブ６をそれぞれ形成したことを特徴とするものである。両側板４の間に架け渡す二つの横リブ６は、モップ柄を取り付けたとき円筒３に発生する弾力の大きさに影響を及ぼす。そして、両横リブ６を円筒３に接近させて形成すると弾力が強く、両横リブ６を円筒３から離せば離すほど弾力は弱くなる。すなわち、最適な弾力が得られる位置に両横リブ６を形成することになる。横リブ６は直線状のものとしてもよいし、湾曲させたものとしてもよい。【０００６】  請求項１・２に係るモップ糸取付台において、円筒３に入れる切込み８は一つにしてもよいし二つ以上にしてもよい。
【発明の効果】
【０００７】  本発明に係るモップ糸取付台においては、たとえ強い力でモップ柄を叩き込んでも円筒３が割れてしまうことがない。
【発明を実施するための最良の形態】
【０００８】  本発明を実施するための最良の形態を図１・図２・図３に基づいて説明する。図１はモップ糸取付台１の中央部を示す正面図、図２は図１のＡ−Ａ断面図、図３は図１のものの底面図である。モップ糸取付台１は、長方形の基板２と、基板２の中央で基板２を貫通して上下方向に配置した円筒３と、基板２の前後から下方へ伸びる二枚の側板４と、円筒３の部分を除き基板２の下面中央に形成した縦リブ５と、円筒３の左右にやや間隔をあけて基板２の下面に形成した横リブ６とからなっている。円筒３の内面には、上端から下方へとわずかずつ小径になるテーパーを付けている。そして、円筒３の下端内部に段部７を設け、下端から上方へと切込み８を入れている。円筒３の中ほどに穴９をあけている。棒状の木製モップ柄又は金属パイプ製モップ柄を円筒３に叩き込んでいく。モップ柄の先端が円筒３の段部７に当ったところで押し込みを止め、穴９からねじをねじ込んだり釘を打ち込んだりして固定する。たとえ強すぎる力を加えて叩き込んだとしても、円筒３に切込み８があってやや広がって逃がすため円筒３が割れてしまうようなことはない。押し込み終えた後は弾力が発生し抜けにくくなる。なお、更に抜けにくくするため、円筒３の内面に１本又は複数本のリブを縦方向に形成してもよい。
【図面の簡単な説明】
【０００９】
【図１】発明を実施するための最良の形態を示す正面図である。
【図２】図１のＡ−Ａ断面図である。
【図３】図１のものの底面図である。
【符号の説明】
【００１０】    ２    基板
３    円筒
４    側板
６    横リブ
８    切込み
【図１】
2005058701.tif 000003
【図２】
2005058701.tif 000004
【図３】
2005058701.tif 000005